(57)【特許請求の範囲】
【請求項１】
情報記録媒体に情報を記録する情報記録装置において、
前記情報記録媒体に情報を記録する記録手段と、
前記情報記録媒体の境界領域に所定の情報を書込む第１の終了処理手段と、
前記情報記録媒体の管理情報領域に管理情報を書込む第２の終了処理手段と、
第1の終了処理手段の処理を行わずに第２の終了処理手段の処理を行うか、第1の処理手段の処理と第2の終了処理手段の処理との両方の処理を行うか、の指示情報が入力される入力手段と、
前記入力手段から入力された指示情報に基き、前記情報記録媒体の終了処理を行うように第1の終了処理手段、第2の処理手段、及び前記記録手段を制御する制御手段と、
を有する情報記録装置。
【請求項２】
請求項１に記載の情報記録装置であって、
情報を表示する表示手段を有し、
前記表示手段は、第1の終了処理手段の処理を行わずに第２の終了処理手段の処理を行う指示を要求する情報と、第1の処理手段の処理と第2の終了処理手段の処理との両方の処理を行う指示を要求する情報と、を表示する情報記録装置
【請求項３】
請求項１に記載の情報記録装置であって、
情報を表示手段に出力する出力端子を有し、
前記制御手段は、前記出力端子に、第1の終了処理手段の処理を行わずに第２の終了処理手段の処理を行うか、第1の処理手段の処理と第2の終了処理手段の処理との両方の処理を行うか、の指示情報の入力を要求する情報を出力する情報記録装置。
【請求項４】
請求項１から３のいずれかに記載の情報記録装置であって、
前記制御手段は、
前記情報記録装置がＡＣ電源から電力を供給されている場合は、第1の処理手段の処理と第2の終了処理手段の処理との両方の処理を行い、
前記情報記録装置がＡＣ電源から電力を供給されていない場合は、第1の終了処理手段の処理を行わずに第２の終了処理手段の処理を行う、情報記録装置。
【請求項５】
請求項４に記載の情報記録装置であって、
前記情報記録装置がＡＣ電源から電力を供給されていない場合は、前記情報記録装置は、表示手段に、第1の終了処理手段の処理を行わずに第２の終了処理手段の処理を行うことを示す情報を出力する情報記録装置。
【請求項６】
情報を情報記録媒体に記録する記録手段と、
前記情報記録媒体を再生装置で再生できるようにするための処理として、所定の情報を、前記記録手段により前記情報記録媒体に記録させる標準処理と、
前記情報記録媒体を再生装置で再生できるようにするための処理として、前記標準処理の場合に記録する前記所定の情報の情報量よりも少ない情報量の情報を、前記記録手段により前記情報記録媒体に記録する簡易処理と、
を選択的に行う制御手段と、
前記標準処理と前記簡易処理とのいずれかの処理を行うことを指示する情報が入力される入力手段と、を有し、
前記制御手段は、前記入力手段から入力された指示情報に基き、前記標準処理または前記簡易処理を行う情報記録装置。
【請求項７】
請求項６に記載の情報記録装置であって、
情報を表示する表示手段を有し、
前記表示手段は、前記標準処理と前記簡易処理とのいずれを行うかの選択情報を表示する情報記録装置
【請求項８】
請求項６に記載の情報記録装置であって、
情報を表示手段に出力する出力端子を有し、
前記制御手段は、前記標準処理と前記簡易処理とのいずれを行うかの選択情報を前記出力端子から前記表示手段に出力する情報記録装置。
【請求項９】
請求項６から８のいずれかに記載の情報記録装置であって、
前記制御手段は、
前記情報記録装置がＡＣ電源から電力を供給されている場合は、前記標準処理を通常の処理とし、
前記情報記録装置がＡＣ電源から電力を供給されていない場合は、前記簡易処理を通常の処理とする、情報記録装置。
【請求項１０】
請求項９に記載の情報記録装置であって、
前記情報記録装置がＡＣ電源から電力を供給されていない場合は、前記情報記録装置は、表示手段に前記簡易処理を行うことを示す情報を出力する情報記録装置。
【発明の詳細な説明】
【０００１】
【発明の属する技術分野】
記録媒体に情報を記録する技術に関する。
【０００２】
【従来の技術】
近年、家庭での鑑賞を目的とした映画等のビデオタイトルのメディアとしてDVD（digital versatile disk）が普及し始めている。
映画配給会社はこれまでの家庭用ビデオテープと同時に、DVDをメディアとしたタイトルを製造、配給を行っている。一般ユーザーは家庭用DVDプレーヤを購入し、家庭にてDVDに記録された映画を鑑賞することができるようになっている。このDVDと互換性を有するDVD-R（DVD-Recordable）は、ユーザーがユーザーの所有する映像および音声の情報を記録可能な追記型光ディスクである。DVD-Rを記録媒体とする家庭用ビデオカメラの製品化が期待されている。しかしながら、上記DVDプレーヤで互換再生可能とするためにはDVD-Rディスクへの記録の終了処理を施す必要がある。この終了処理では、一般にファイナライズ処理と呼ばれている処理が少なくとも実施される。
【０００３】
ここで、ファイナライズ処理にて実施される処理について、説明する。図２はファイナライズ処理を説明する図である。図の左端が内周トラック、右端が外周トラックである。(なお、データの詳細構成に関しては特開平８−２７３３０４号にも示されている。)
ファイナライズ処理前には、図２に示すように、リードイン・コントロールデータ領域（Lead-in/Control Data Zone）２００(DVD-R製造時に既に規定のデータが記録されている。)と、ユーザの映像・音声データを記録したユーザーデータ領域２０１がある。
【０００４】
なお、リードイン・コントロールデータ領域（Lead-in/Control Data Zone）には、ファイナライズ処理時にデータ書込みが行われる。従って、ファイナライズ処理の前後でリードイン・コントロールデータ領域のデータが変わることを明示的に表現する為に、ファイナライズ処理後は、リードイン・コントロールデータ領域２０３と記載して、参照番号を変えることとする。
【０００５】
次に、ファイナライズ処理により、図２のリードイン領域（Lead-in Zone）２０２(図２において、リードイン・コントロールデータ領域２０３よりも内周に図示されている領域)、管理情報領域２０４(図２において、リードイン・コントロールデータ領域２０３とユーザーデータ領域２０１との間に図示されている領域)、ボーダアウト領域２０６(図２において、ユーザーデータ領域２０１の外周に図示されている領域)、リードアウト領域(Lead-out zone)２０７(図２において、ユーザデータ領域２０１の外周に図示されている領域)に各々所定の情報、データを記録する。
【０００６】
リードアウト領域は8cm径のディスクでは２mm以上のトラック幅(図２のＡ)、ただし、最小で直径7cmの位置（図２のＢ）までと規定されている。ユーザーが記録するデータが少ない場合、すなわちユーザーデータ領域の幅が小さければ、リードアウト領域は大きくなり、リードアウト領域に所定のデータを書込むために時間がかかるので、ファイナライズ処理の時間は長くなる。
【０００７】
なお、参考例として、DVD-Rを使用した装置としては、例えば特開平８−２７３３０４号、特開２００１-１４８１６６号が挙げられる。参考例の特開２００１-１４８１６６号には、以下で詳述する本発明にて課題とするファイナライズ処理を含む終了処理に要する時間を短縮する技術の開示がないものである。
【０００８】
【発明が解決しようとする課題】
ところで、上述の終了処理に関して、従来実施されていたものにおいて、問題があるので、以下に説明する。
【０００９】
即ち、従来技術においては、ユーザがわずかな撮影時間の後に終了処理を行うと、終了処理において実施されるファイナライズ処理を行うのに長時間を要するために、その間は、撮影をすることが出来ず、待たされる問題があった。
【００１０】
ところで、光ディスクの記録媒体には、書替え可能型のものと、追記型のものがある。書替え可能型のものは、その名のとおり、書替えが可能なものである。
【００１１】
一方、追記型のものは、１回のみ書込みが行えるものである。書替え可能型のものとしては、DVD-RAM、DVD-RW、PC-RW等が知られており、追記型のものは、DVD-Rが知られている。何れも情報記録媒体として、情報の記録が行えるものであるが、各々の特性から、情報の記録方法が異なるものであるので、情報記録装置では、その記録方法に基づいて記録する必要がある。
【００１２】
上述したが、DVD-R、DVD-RW、PC-RW等は、ファイナライズ処理を含む終了処理を行うことで、記録後の再生に関しては再生専用ディスクとほぼ同じ特性になることから既存のDVD再生装置で再生が可能である。
【００１３】
ファイナライズ処理をしている間は、記録媒体を取り出せない。従って、ファイナライズ処理に時間がかかれば、かかる程、別の記録媒体に交換して、記録を開始するまで待たされることとなる。
【００１４】
一方、ファイナライズ処理では、記録されていない領域に対して、所定の情報、データを書込むことが一般的に行われる。よって、撮影時間が短い程、記録されていない領域が大きくなり、その領域へのファイナライズ処理時の所定の情報、データ書込みが多くなり、時間がかかることとなる。
【００１５】
以上のように、撮影時間が短い場合に終了処理を行うと、別の記録媒体に交換しての撮影、記録開始まで、待たされることとなるので、ユーザにとっては、使い勝手が悪くなる等の問題がある。
【００１６】
本発明の目的は、上記問題を解決し、例えば、終了処理を実施することによる待ち時間を小さくするようにすることである。それによって、例えば、別の記録媒体に交換しての記録、撮影の開始を速やかに実施出来るようになるのである。
【００１７】
【課題を解決するための手段】
上記目的を達成するため、本発明は、終了処理の実施に要する時間を短縮する技術を提供するものである。
【００１８】
ここで、繰返しとなるが、終了処理とは、情報(音声、映像情報等も含む)を記録した記録媒体を再生装置にて再生出来るようにする為に、当該記録媒体に実施される処理のことである。
【００１９】
上記情報(音声、映像情報等も含む)を記録した記録媒体を再生装置にて再生出来るようにする為に、当該記録媒体に実施される処理としては、上記再生装置で当該記録媒体を再生等の制御等を実施するのに必要な情報等を記録媒体に書込む等の処理が行われる。即ち、その処理が実施されないと、当該記録媒体を上記再生装置で再生等の制御等が出来なくなる処理である。
【００２０】
一方、終了処理で実施される処理ではあるが、もし、当該記録媒体に終了処理において、その処理が実施されなくても、上記再生装置の再生、制御方法によっては、当該記録媒体を再生等の制御等が出来る処理がある。この処理の場合は、必ずしも終了処理時に当該記録媒体に実施される必要のない処理(若しくは省略することが可能である処理)である。
【００２１】
上記事項の意味するのは、終了処理においては、再生装置で再生等の制御等を可能とする為に、必ず実施されなければならない処理と、必ずしも実施の必要のない処理(若しくは省略することが可能である処理)とが含まれることを意味するものである。
【００２２】
従って、本発明では、終了処理時に再生装置で再生等の制御等を可能とする為に、必ず実施されなければならない処理の実施の制御、または指示と、必ずしも実施の必要のない処理(若しくは省略することが可能である処理)の実施の制御、または指示とを各々別々に実施の制御、または指示を可能とする構成、方法を提供するものである。
【００２３】
上記構成、方法を用いることによって、再生装置で再生等の制御等を可能とする為に、必ず実施されなければならない処理を実施する終了処理を提供することが可能となる。従って、この場合は、上記必ずしも実施の必要のない処理が省略されることになるので、その分だけ、処理時間を短縮することが可能となる。当然、上記必ずしも実施の必要のない処理(若しくは省略することが可能である処理)に要する時間が大きければ大きい程、この処理を省略することによる処理に要する短縮の時間が大きいものとなる。
【００２４】
なお、上記で省略した必ずしも実施の必要のない処理が、やはり実施されることが必要となった場合であっても、上記構成、方法を用いることによって、上記省略した必ずしも実施の必要のない処理(若しくは省略することが可能である処理)を追加の処理として、実施することも可能である。
【００２５】
上記追加の処理を実施した記録媒体も、従来の終了処理(上述のような省略をしなかった終了処理)を実施した記録媒体と同様に、再生装置で再生等の制御等をすることが出来る。
【００２６】
ところで、上述の終了処理で、一般にファイナライズ処理と呼ばれている処理が少なくとも実施されることが知られている。従って、以下の説明では、ファイナライズ処理に着目して、説明を行う。
【００２７】
ファイナライズ処理で実施される処理の一つとして、ユーザデータ等を、再生、追記制御等する際に、ユーザデータ等をファイルとして認識するために、ディスクアクセス時に参照するファイル管理情報等を管理情報領域に書込む処理を行う。また、その他に行われる処理として、ピックアップがアクセスする際に、ピックアップが記録媒体のアクセスした位置のアドレス情報を取得する為や、ピックアップのトラッキング方向のサーボ制御する為や、記録媒体を所定の速度で回転制御する為に、必要となる所定の情報、データを境界領域へ書込む処理が行われる。
【００２８】
上記のファイナライズ処理において、ファイル管理情報等は、再生時に必ず参照されるので書込まれることが必須である。即ち、ファイル管理情報等の記録媒体への書込みを省略することは、出来ない。
【００２９】
一方、上記境界領域は、必ずしもピックアップでアクセスされるものではなく、再生装置によっては、アクセスされない場合もある。従って、上記境界領域への所定の情報、データ書込みを省略することが可能である。
【００３０】
ところで、ディスクへの情報の書込み量が小さく、未記録領域が大きい場合には、上記境界領域が大きくなり、当該境界領域への所定の情報、データ書込みに時間を多く必要とすることになる。その結果、ファイナライズ処理に時間が多くかかることとなる。従って、上記境界領域への所定の情報、データ書込みを省略することで、ファイナライズ処理にかかる時間を短くするようにすることが出来る。
【００３１】
上記に基づき、ファイナライズ処理として、ファイル管理情報等のディスク再生時に必要となる情報を書込む処理を行うファイナライズ処理(以下、簡易ファイナライズ処理と称する)と、上記境界領域へ所定の情報、データを後程書込む処理を行うファイナライズ処理(以下、追加ファイナライズ処理と称する)を設けるものとする。
【００３２】
なお、上記追加ファイナライズ処理は、簡易ファイナライズ処理されたディスクに対して行うものであるから、追加ファイナライズ処理の対象とするディスクが、上記簡易ファイナライズ処理を行ったものであるか否かを判別する必要がある。
【００３３】
即ち、情報記録装置において、ファイナライズ処理の実施の状態を知る手段を設ける必要がある。
【００３４】
従って、本発明では、更には、ファイナライズ処理の実施の状態を知る手段を設けるものとする。そして、上記ファイナライズ処理の実施の状態を知る手段の判別結果に基づいて、上記追加ファイナライズ処理の実施の制御をするものとする。
【００３５】
このファイナライズ処理の実施の状態を知る手段としては、上記境界領域に所定の情報、データが書込まれているか否かで判別することによって、実施するものとする。例えば、リードアウト領域に所定の情報、データが書込む処理が完了しているか否かを判別することで実現出来る。
【００３６】
「ファイナライズ処理の実施の状態を知る手段」を設けることで、処理対象の(装置に設置されている)ディスクがリードアウト領域への所定の情報、データの書込みが実施されているか、否かを判別することが出来る。
【００３７】
従って、リードアウト領域への所定の情報、データの書込みが実施されていないディスクに対しては、リードアウト領域への所定の情報、データの書込みを実施することが可能となり、例えば、「リードアウト領域への所定の情報、データの書込みをすべきであるかをユーザ等に問合せる」メッセージ表示等の通知をしたり、リードアウト領域への所定の情報、データの書込みを実施することが可能となる。当然ながら、リードアウト領域への所定の情報、データの書込みが、既に実施されているディスクに対しては、リードアウト領域への所定の情報、データの書込みを実施する必要がないので、リードアウト領域への所定の情報、データの書込みをすべきであるかをユーザ等に問合せるメッセージ表示等の通知は、不要であり、リードアウト領域への所定の情報、データの書込みが実施されることはない。勿論、「既にリードアウト領域への所定の情報、データの書込み」が実施済みである旨を通知するものであっても良い。
【００３８】
次に、図５は、簡易ファイナライズ処理と、完全ファイナライズ処理(詳細は後述する)との差異を例示したものである。
【００３９】
簡易ファイナライズ処理では、リードイン・コントロールデータ領域書込み５００と、管理情報領域書込み５０１と、ボーダアウト領域書込み５０２とを行うことで、処理を終了する。一方、完全ファイナライズ処理では、上記簡易ファイナライズ処理に加えてリードアウト領域書込み５０３を行う。
【００４０】
また、簡易ファイナライズ処理については、例えば、図３に示すように、リードイン・コントロールデータ領域２０３、管理情報領域２０４と、ボーダアウト領域２０６(ユーザデータ領域２０１の外周の領域)へのデータ書込みは行うが、リードアウト領域２０７へはデータ書込みを実施しないようにすることで、簡易ファイナライズ処理を実施出来るものとなる。
【００４１】
なお、図５は、簡易ファイナライズ処理と完全ファイナライズ処理との差異を例示するものであり、上記簡易ファイナライズ処理と完全ファイナライズ処理の処理内容が図５の構成に限定されるものではない。
【００４２】
即ち、簡易ファイナライズ処理は、少なくともファイル管理情報等のディスク再生時に必要となる情報を書込む処理を含むものである。
【００４３】
一方、完全ファイナライズ処理は、少なくともファイル管理情報等のディスク再生時に必要となる情報を書込む処理と、上記境界領域への所定の情報、データを書込む処理を含むものである。
【００４４】
また、追加ファイナライズ処理は、少なくとも上記境界領域への所定の情報、データを書込む処理を含むものである。
【００４５】
なお、上記簡易ファイナライズ処理のみでは、再生が正常に行えない再生装置の存在が予想される。
【００４６】
例えば、リードアウト領域への所定の情報、データ書込みがされていることを前提にピックアップの制御を行う類の再生装置等では、リードアウト領域への所定の情報、データ書込みが行われていない場合、リードアウト領域から所定の情報、データを読出せないことで、正常にピックアップを移動制御出来ない為に、正常に再生が行えないこととなる。
【００４７】
従って、上記のような再生が正常に行えない再生装置にも対応するためには、リードアウト領域への所定の情報、データの追記機能も有するものとする。追加ファイナライズ処理が完了した状態は、通常のファイナライズ処理(以後、完全ファイナライズ処理と記す。)を完了したものに相当する状態となる。従って、リードアウト領域への所定の情報、データ書込みがされていることを前提にピックアップの制御を行う類の上述の再生装置等でも、追加ファイナライズ処理が完了したディスクは、正常な再生を行うことが可能となる。
【００４８】
また、本発明にかかる情報記録装置において、上記目的を達成するための操作選択メニュー表示を含む操作法について、簡易ファイナライズ処理と完全ファイナライズ処理とをユーザが選択して実施出来るようにしても良い。その為に、例えば、ユーザに提示される操作選択のメニュー画面に、簡易ファイナライズ処理と完全ファイナライズ処理とを表示しておき、ユーザの好みに応じて、どちらかを選択指示して、実施出来るものとする。
【００４９】
あるいは、ファイナライズ処理としてユーザに提示される操作選択のメニュー画面には、単にファイナライズ処理のみ表示されるものとしておく(即ち、簡易ファイナライズ処理と完全ファイナライズ処理との何れも表示されない)。
【００５０】
次に、操作選択のメニュー画面に基づき、ファイナライズ処理が選択された場合に、ファイナライズ処理が実施されていない記録媒体に対しては、上記簡易ファイナライズ処理を実施する。
【００５１】
一方、既に簡易ファイナライズ処理が実施されている記録媒体に対しては、自動的に完全ファイナライズ処理に切替えて実施しても良い。即ち、ファイナライズ処理が選択された後、簡易ファイナライズ処理と完全ファイナライズ処理とで、何れかが実施選択されなくても、記録媒体のファイナライズ処理の実施状態の判別に応じて、何れかの処理が実施されるものとする。こうすることで、ユーザは、その都度、提示される操作選択のメニュー画面を見て、判断の後に、希望処理を選択指示する手間を省略出来ることとなる。即ち、操作選択処理の迅速性を図ることが出来ることとなる。
【００５２】
また、上記目的をユーザにとって安全に行うために、処理が実施される処理内容を確認する手段を有しても良い。すなわち、ファイナライズ処理(上記の簡易ファイナライズ処理、完全ファイナライズ処理、追加ファイナライズ処理を含む)の実施に際して、実施されるファイナライズ処理の内容に適したメッセージを表示してユーザに実施の可否を確認する手段を有するようにしても良い。
【００５３】
例えば、「ファイナライズ処理を実施するか否か」をユーザにメッセージ表示等による通知をし、ユーザが例えば「処理実施」を選択した場合にのみ、ファイナライズ処理を実施し、ユーザが例えば「処理中止」を選択した場合は、ファイナライズ処理は実施しない。こうすることで、ユーザの勘違いによるファイナライズ処理の実施や、操作ボタンの押し間違い等の操作ミスによるファイナライズ処理の実施を回避可能となる。特に、ファイナライズ処理されたディスクには、新たな情報を追記出来なくなるので、ファイナライズ処理の実施は、実施の確認を経て、行えるようにすることが好ましい。
【００５４】
また、携帯型の情報記録装置では、通常電池によって、電力供給されており、上記のように終了処理に長時間かかると、その処理途中で電池からの電力供給不足で中断した場合は、再生装置で再生できない状態の記録媒体を作成してしまう事態になる場合もある。
【００５５】
従って、情報記録装置に供給されている電源の供給元を判別する手段を設け、電源の供給元の判別に基づき、ＡＣ電源から供給されていない場合(例えば、電池等)は、通常は、ユーザが特に簡易ファイナライズ処理を選択しなくても、ファイナライズ処理を上記簡易ファイナライズ処理するものとしても良い。
【００５６】
こうすることで、終了処理にかかる時間を短縮でき、その処理途中で電力不足で中断しなければならない可能性も低くなり、再生装置で再生出来ない状態の記録媒体を作成してしまう事態を回避することが出来る。
【００５７】
上記において、本発明においての課題を達成するための手段、構成について詳述した。次に、上記事項を踏まえて、本発明の解決手段、構成を以下に、更に別の表現にて記載する。
【００５８】
本発明においては、上記目的を達成する為に、再生装置で再生可能となるような情報記録媒体に出来る情報記録媒体を記録する情報記録装置において、上記情報記録媒体に情報を記録する記録処理手段と、上記情報記録媒体が上記再生装置によって再生可能とする情報記録媒体となるようにする処理を上記情報記録媒体に実施される終了処理手段と、上記情報記録装置を制御する制御手段とを設け、上記終了処理手段を上記再生装置が再生処理を実施する際に必要とする情報を上記情報記録媒体に書込む処理を含む第１の終了処理手段と、上記再生装置が再生処理を実施する際に必要とする情報を上記情報記録媒体に書込む処理を含まない第２の終了処理手段とで構成するものとする。
【００５９】
また、上記目的を達成する為に、本発明にかかる情報記録装置において、上記制御手段からの制御に基づき、上記終了処理を実施する際に、上記再生装置が再生処理を実施する際に必要とする情報を上記情報記録媒体に書込む処理を含む第１の終了処理手段を実施することなく、上記再生装置が再生処理を実施する際に必要とする情報を上記情報記録媒体に書込む処理を含まない第２の終了処理手段を実施するものとする。
【００６０】
また、上記目的を達成する為に、本発明にかかる情報記録装置において、上記制御手段からの制御に基づき、上記終了処理を実施する際に、上記再生装置が再生処理を実施する際に必要とする情報を上記情報記録媒体に書込む処理を含まない第２の終了処理手段を実施することなく、上記再生装置が再生処理を実施する際に必要とする情報を上記情報記録媒体に書込む処理を含む第１の終了処理手段を実施するものとする。
【００６１】
また、上記目的を達成する為に、本発明にかかる情報記録媒体に情報を記録する情報記録装置において、上記情報記録媒体に情報を記録する記録処理手段と、上記情報記録媒体に対して、境界領域に所定の情報を書込む処理を含む終了処理手段と、上記情報記録装置を制御する制御手段とを設け、上記終了処理手段を境界領域に所定の情報を書込む処理を含む第１の終了処理手段と、境界領域に所定の情報を書込む処理を含まない第２の終了処理手段とで構成するものとする。
【００６２】
また、上記目的を達成する為に、本発明にかかる情報記録装置において、上記制御手段からの制御に基づき、上記終了処理を実施する際に、上記第１の終了処理手段を実施することなく、上記第２の終了処理手段を実施するものとする。
【００６３】
また、上記目的を達成する為に、本発明にかかる情報記録装置において、上記制御手段からの制御に基づき、上記終了処理を実施する際に、上記第２の終了処理手段を実施することなく、上記第１の終了処理手段を実施するものとする。
【００６４】
また、上記目的を達成する為に、本発明にかかる情報記録装置において、上記情報記録媒体に情報を記録する記録処理手段と、上記情報記録媒体に対して、少なくとも境界領域に所定の情報を書込む処理と、管理情報領域に管理情報を書込む処理とを含む終了処理手段と、上記情報記録装置を制御する制御手段とを設け、上記終了処理手段を少なくとも境界領域に所定の情報を書込む処理を含む第１の処理手段と、少なくとも管理情報領域に管理情報を書込む処理を含む第２の処理手段とで構成するものとする。
【００６５】
また、上記目的を達成する為に、本発明にかかる情報記録装置において、上記情報記録媒体に情報を記録する記録処理手段と、上記情報記録媒体に対して、少なくとも境界領域に所定の情報を書込む処理と、管理情報領域に管理情報を書込む処理とを含む終了処理手段と、上記情報記録装置を制御する制御手段とを設け、上記制御手段からの制御に基づき、上記終了処理を実施する際に、境界領域に所定の情報を書込む処理を実施することなく、管理情報領域に管理情報を書込む処理を実施するものとする。
【００６６】
また、上記目的を達成する為に、本発明にかかる情報記録装置において、上記情報記録媒体に情報を記録する記録処理手段と、上記情報記録媒体に対して、少なくとも境界領域に所定の情報を書込む処理と、管理情報領域に管理情報を書込む処理とを含む終了処理手段と、上記情報記録装置を制御する制御手段とを設け、上記制御手段からの制御に基づき、上記終了処理を実施する際に、管理情報領域に管理情報を書込む処理を実施することなく、境界領域に所定の情報を書込む処理を実施するものとする。
【００６７】
また、上記目的を達成する為に、本発明にかかる情報記録装置において、上記情報記録媒体に実施されている終了処理の状態を判別する終了処理状態判別手段を設け、上記情報記録媒体に実施されている終了処理の状態を判別するものとする。
【００６８】
また、上記目的を達成する為に、本発明にかかる情報記録装置において、上記情報記録媒体に実施されている終了処理の状態を表示する終了処理状態表示手段を設け、終了処理状態判別手段による上記情報記録媒体に実施されている終了処理の状態の判別処理に基づき、上記情報記録媒体に実施されている終了処理が、境界領域に所定の情報を書込む処理を実施していない場合は、上記終了処理状態表示手段によって、境界領域に所定の情報を書込む処理を実施していない旨を表示するものとする。
【００６９】
また、上記目的を達成する為に、本発明にかかる情報記録装置において、上記情報記録媒体に実施されている終了処理の状態を表示する終了処理状態表示手段を設け、終了処理状態判別手段による上記情報記録媒体に実施されている終了処理の状態の判別処理に基づき、上記情報記録媒体に終了処理が実施されていない場合は、上記終了処理状態表示手段によって、上記情報記録媒体に終了処理が実施されていない旨を表示するものとする。
【００７０】
また、上記目的を達成する為に、本発明にかかる情報記録装置において、上記情報記録媒体に実施されている終了処理の状態を表示する終了処理状態表示手段を設け、終了処理状態判別手段による上記情報記録媒体に実施されている終了処理の状態の判別処理に基づき、少なくとも境界領域に所定の情報を書込む処理と、管理情報領域に管理情報を書込む処理とを含む終了処理が実施されている場合は、上記終了処理状態表示手段によって、上記情報記録媒体に少なくとも境界領域に所定の情報を書込む処理と、管理情報領域に管理情報を書込む処理とを含む終了処理が実施されている旨を表示するものとする。
【００７１】
また、上記目的を達成する為に、本発明にかかる情報記録装置において、上記情報記録媒体に実施されている終了処理の状態を表示する終了処理状態表示手段を設け、終了処理状態判別手段による上記情報記録媒体に実施されている終了処理の状態の判別処理に基づき、上記情報記録媒体に実施されている終了処理が、境界領域に所定の情報を書込む処理を実施していない場合は、境界領域に所定の情報を書込む処理を実施するものとする。
【００７２】
また、上記目的を達成する為に、本発明にかかる情報記録装置において、上記情報記録媒体に実施されている終了処理の状態を表示する終了処理状態表示手段を設け、終了処理状態判別手段による上記情報記録媒体に実施されている終了処理の状態の判別処理に基づき、上記情報記録媒体に終了処理が実施されていない場合は、境界領域に所定の情報を書込む処理を実施することなく、管理情報領域に管理情報を書込む処理を実施するものとする。
【００７３】
【発明の実施の形態】
以下、本発明の実施例を説明する。
【００７４】
先ず、図１は本発明の実施例を実施するシステム構成を説明する図である。実施例のシステム構成としてDVD-RAMとDVD-Rの両光ディスクを記録できるシステムとする。
【００７５】
図１において、１００は、記録の開始や終了のタイミングを制御し、また記録媒体の判別の確認や電源の状態を監視する制御部、１０１は、デジタル映像信号の映像入力端子部、１０２は、映像入力端子１０１から出力される映像信号を圧縮する為の映像圧縮部、１０３は、デジタル音声信号の音声入力端子部、１０４は、音声入力端子１０３から出力される音声信号を圧縮する為の音声圧縮部、１０５は、映像圧縮部１０２と音声圧縮部１０４から出力されるデータをMPEG等の規格に準拠したシステムストリームに多重する多重部、１０６は、多重部１０５が生成したシステムストリームを記録媒体を判別した後に、媒体に応じた書込みと読出しを行うドライバ部、１０７は、ドライバ部１０６によって読書きされる記録媒体でありDVD-RAM及びDVD-Rのことである、１０８は、記録媒体１０７がDVD-RAMかDVD-Rの場合で終了処理を切替える終了処理部で、その処理の中には、簡易ファイナライズ処理部１１０、追加ファイナライズ処理部１１１、更には、終了処理状態判別部１１２を含み、簡易ファイナライズ処理部１１０、追加ファイナライズ処理部１１１の実施制御は、ユーザの指定による切替え、もしくは、記録媒体の状態に応じて自動的に切替えられる。
【００７６】
また、終了処理状態判別部１１２は、記録媒体１０７に実施されている終了処理の状態を判別するものである。
【００７７】
１０９は、ビデオカメラを駆動する為の電池(充電電池、乾電池等)や商用交流電源(以下、ＡＣ電源と称する)が接続されている電源部である。
【００７８】
なお、上記制御部１００は、記録媒体の判別の確認もするものである。しかしながら、記録媒体の判別の確認をするもの(別表現では、記録媒体の種類を判別する記録媒体判別手段)を制御部１００とは別に設ける構成であっても良い。
【００７９】
また、終了処理状態判別部１１２を上記制御部１００において、実施するものであってもよい。
【００８０】
まず記録方法について説明する。ユーザーが記録を希望すると制御部は、ドライバ部１０６に記録媒体１０７がDVD-RAMかDVD-Rかのどちらかを確認させる。そのディスクの判別結果をフラグに記憶しておく。その後必要に応じた各ブロックの初期化等を行い記録の準備をはじめる。ディスクの判別はディスクがこのシステムに挿入された時に行っても良い。初期化後、映像データと音声データを取り込む為に図１には図示されていないA/D変換器等を動作させ映像のデジタルデータを映像入力端子１０１から、また音声のデジタルデータを音声入力端子１０３から取得する。入力されたデジタル映像信号は必要に応じて輝度と色の信号処理が施されているとし、映像圧縮部１０２によってMPEGの規格に準拠した圧縮をされる。必要に応じて映像圧縮部の前後にデータを蓄えておくバッファを設置しても良い。また、音声入力端子１０３から入力されるデジタル音声信号は必要に応じてバッファ等を介し音声圧縮部１０４でMPEG規格、もしくはドルビーデジタル（AC3）規格に準拠した音声圧縮を行う。リニアPCMの記録の場合、圧縮は行わない。多重部１０５では、映像圧縮部１０２と音声圧縮部１０４で生成された映像圧縮データと音声圧縮データからMPEGの規格に準拠したシステムストリームを生成し、また指定したDVDのフォーマットに合わせたパケット化も行う。DVD-RAMであればビデオレコーディング規格、またDVD-Rでは再生専用ディスクのビデオフォーマットにあわせてパケット化を行う。この際、多重部の前後にバッファを介する事が多い。多重部１０５で生成されたシステムストリームは図１には図示していないバッファ等を介して記録媒体１０７に記録される。この後、ユーザが終了の指示を行うと（例えば、記録ボタン等の操作ボタンを押す。一般的な記録再生装置では、記録開始や、記録終了のための記録ボタンや、再生を行うための再生ボタンを有する。これらのボタン類を操作ボタンと称す。）、制御部は各ブロックに終了の命令を行う。図１には表示していないA/D変換器等も停止させる。
【００８１】
ところで、DVD-Rで実施されるファイナライズ処理は、DVD-RAMフォーマットでは、実施されないので、DVD-RAMフォーマットで記録していた場合にはファイナライズは行わない。
【００８２】
一方、DVD-Rで記録していた場合、ファイナライズ処理を行う事によって既存のDVD再生装置での再生が可能になる。但し、ファイナライズ処理は一度行うとそのディスクへの追記が出来なくなってしまうので常に行うのではなく、ファイナライズ処理を実施するのか、実施しないかは、ユーザが指定できるようにした方が一般的である。もちろんDVD-R記録終了時に自動的にファイナライズを行っても良い。
【００８３】
次に、上記図１に示すシステムにおいて、簡易ファイナライズ処理と完全ファイナライズ処理を行う第一の実施例について、図４と図６と図７を用いて説明する。
【００８４】
なお、完全ファイナライズ処理を実施された記録媒体は、従来のファイナライズ処理が実施されたものと同等の記録媒体となるものとする。
【００８５】
従って、完全ファイナライズ処理された記録媒体は、再生装置において、従来のファイナライズ処理された記録媒体と同様に扱うことが可能となり、再生処理等が出来るものとなる。
【００８６】
以下の実施例で、説明の都合上、完全ファイナライズ処理と記載している処理には、簡易ファイナライズ処理を実施し、追加ファイナライズ処理を実施する処理も含む場合もあるものとする。
【００８７】
図４はこのシステムでのファイナライズ処理手順を示したフローチャートを示している。
【００８８】
ユーザからファイナライズ処理開始指示(４００)されると、先ず、当該記録媒体のディスクが簡易ファイナライズ処理されているか判別する(４０１)。まだ簡易ファイナライズ処理が実施されていなければ(４０１−NO)、簡易ファイナライズ処理確認メッセージ（例えば、図７の７０１のように、「簡易ファイナライズを行いますか？」等）を表示し(４０２)、簡易ファイナライズ処理の実施をユーザに確認する。
【００８９】
もし簡易ファイナライズ処理実施の指示があった場合（４０４−YES）は、簡易ファイナライズ処理を実施(４０５)して終了する（４０８）。もし簡易ファイナライズ処理不実施の指示（４０４−NO）があれば、簡易ファイナライズ処理は実施せず終了する（４０８）。
【００９０】
一方、ディスクが既に簡易ファイナライズ処理実施済みなら（４０１−YES）、完全ファイナライズ処理確認メッセージを表示（例えば、図７の７０２のように、「完全ファイナライズを行いますか？」等）し(４０３)、完全ファイナライズ処理実施をユーザに確認する。
【００９１】
もし完全ファイナライズ処理実施の指示があった場合（４０５−YES）は、完全ファイナライズ処理を実施(４０７)して終了する（４０８）。もし完全ファイナライズ処理不実施の指示（４０５−NO）があれば、完全ファイナライズ処理は実施せず終了する（４０８）。
【００９２】
図６、７はこのシステムの操作GUIを表している。６０１はサムネイル画像である。サムネイル画像とは記録した画像の縮小した画像である。何が記録されているかが直ぐに分かるように最初の画像を表示している。６０２は記録媒体の種類を表示する部分である。６０３は現状態を表す表示である。全プログラムとはこの場合記録された音声・映像の単位に対して、全ての単位を示すものである。６０４は、記録媒体がファイナライズ処理されているか否か、ファイナライズ処理されているとしたら簡易ファイナライズ処理なのか、完全ファイナライズ処理なのか、その記録媒体に行われているファイナライズ処理の状態を示すもの（以後、ファイナライズインジケータ６０４と記す。）である。
【００９３】
ユーザがファイナライズ処理を行おうとした場合、図６の画面６００上にプルダウンメニュー６１０を表示する。そのプルダウンメニュー６１０からファイナライズの項目を選択する。すると図７の表示エリア７００に処理の項目「ファイナライズ処理」が表示され、ファイナライズ処理に移行したことがわかり、また同時にファイナライズ処理の確認画面が表示される。これが確認画面７０１である。確認画面７０１の“簡易ファイナライズを行ないますか”というメッセージは例えば、“本当にしてもよいですか？”等ユーザに確認を促がすものであれば上記のメッセージに限った事ではない。
【００９４】
図７のファイナライズインジケータ７０３には、記録媒体が、ファイナライズ処理されていないことが示されている(図７のファイナライズインジケータ７０３には、「未Ｆ」が太枠で囲まれた表示となっている。)。
【００９５】
確認画面７０１を表示するのが、図４の確認画面表示４０２である。もしここでファイナライズ処理を止めたければNO(図７の確認画面７０１のNO)を選択（４０４−NO）すれば良いし、ファイナライズ処理を行う時はYES(図７の確認画面７０１のYES)を選択（４０４−YES）すれば良い。
【００９６】
一方、ディスクが既に簡易ファイナライズ処理実施済みと判別された場合(４０１−YES)には、確認画面表示４０３によって、確認画面７０２が表示される。図７の確認画面７０２に表示されるメッセージは、ユーザに確認を促がすものであれば、図７の確認画面７０２に図示しているメッセージに限った事ではない。図７のファイナライズインジケータ７０４には、記録媒体が、既に簡易ファイナライズ処理されていることが示されている(図７のファイナライズインジケータ７０４には、「簡Ｆ」が太枠で囲まれた表示となっている。)。
【００９７】
上記説明したようにファイナライズ処理の際、メッセージ表示でユーザに処理内容を知らせることにより、実施される処理の内容をユーザが確認できる。また、ユーザが誤って処理継続する誤操作等を防ぐことができ、操作性や、安全性が向上する。
【００９８】
次に第二の実施例について図８と図９と図１０と図１１と図１５と図１６と図１７を用いて説明する。
【００９９】
システム構成は第一の実施例と同様である。
【０１００】
図８はこのシステムでの簡易ファイナライズ処理手順を示したフローチャートを示している。
【０１０１】
ユーザから簡易ファイナライズ処理開始指示(８００)されると、簡易ファイナライズ処理確認メッセージ(例えば、図７の確認画面７０１の“簡易ファイナライズを行ないますか”というメッセージ等)を表示し(８０１)、簡易ファイナライズ処理実施をユーザに確認する。
【０１０２】
もし簡易ファイナライズ処理実施の指示があった場合（８０２−YES）は、簡易ファイナライズ処理を実施(８０３)して終了する（８０４）。もし簡易ファイナライズ処理不実施の指示（８０２−NO）があれば、簡易ファイナライズ処理は行わず終了する（８０４）。
【０１０３】
図９はこのシステムでの完全ファイナライズ処理手順を示したフローチャートを示している。
【０１０４】
ユーザから完全ファイナライズ処理開始指示(９００)されると、完全ファイナライズ処理確認メッセージを表示し(９０１)、完全ファイナライズ処理実施をユーザに確認する。
【０１０５】
もし完全ファイナライズ処理実施の指示があった場合（９０２−YES）は、簡易ファイナライズ処理を実施し(９０３)、追加ファイナライズ処理を実施(９０４)して終了する（９０５）。もし完全ファイナライズ処理不実施の指示（９０２−NO）があれば、完全ファイナライズ処理を行わず終了する（９０５）。
【０１０６】
図１５はこのシステムでの追加ファイナライズ処理手順を示したフローチャートを示している。
【０１０７】
ユーザから追加ファイナライズ処理開始指示(１５００)されると、追加ファイナライズ処理確認メッセージを表示し(１５０１)、追加ファイナライズ処理実施をユーザに確認する。
【０１０８】
もし追加ファイナライズ処理実施の指示があった場合（１５０２−YES）は、追加ファイナライズ処理を実施(１５０３)して終了する（１５０４）。もし追加ファイナライズ処理不実施の指示（１５０２−NO）があれば、追加ファイナライズ処理は行わず終了する（１５０４）。
【０１０９】
図１０、１１、１６、１７はこのシステムの操作GUIを表している。構成は図６、図７と同様である。
【０１１０】
図１０と、図１１は、ファイナライズインジケータ１００４に示されているように、記録媒体がファイナライズ処理されていない場合の画面例である。
【０１１１】
図１６と、図１７は、ファイナライズインジケータ１６００に示されているように、記録媒体が既に簡易ファイナライズ処理されている場合の画面例である。
【０１１２】
記録媒体がファイナライズ処理されていない場合について、図１０と、図１１を用いて説明する。
【０１１３】
ユーザがファイナライズ処理を行おうとした場合、図１０の画面１０００上にプルダウンメニュー１０１０を表示する。そのプルダウンメニュー１０１０からファイナライズの項目を選択する。すると図１１の表示エリア１１００に処理の項目「ファイナライズ処理」が表示され、ファイナライズ処理に移行したことがわかり、また同時にファイナライズ処理の確認画面が表示される。
【０１１４】
プルダウンメニュー１０１０から簡易ファイナライズが選択された場合(この場合、図８のフローチャートが実施されるものとする。)は、図１１の確認画面１１０１が表示される。確認画面１１０１の“簡易ファイナライズを行いますか”というメッセージは例えば、“本当にしてもよいですか？”等ユーザに確認を促がすものであれば上記のメッセージに限った事ではない。
【０１１５】
図１０のプルダウンメニュー１０１０から完全ファイナライズが選択された場合(この場合、図９のフローチャートが実施されるものとする。)は、図１１の確認画面１１０２が表示される。確認画面１１０２に表示されるメッセージは、ユーザに確認を促がすものであれば、確認画面１１０２に図示しているメッセージに限った事ではない。
【０１１６】
図１１の確認画面１１０１を表示するのが、図８の確認画面表示８０１である。もし、ここで簡易ファイナライズ処理を止めたければNO(図１１の確認画面１１０１のNO)を選択すれば良いし、簡易ファイナライズ処理を行う時はYES(図１１の確認画面１１０１のYES)を選択すれば良い。
【０１１７】
図１１の確認画面１１０２を表示するのが、図９の確認画面表示９０１である。もし、ここで完全ファイナライズ処理を止めたければNO(図１１の確認画面１１０２のNO)を選択すれば良いし、完全ファイナライズ処理を行う時はYES(図１１の確認画面１１０２のYES)を選択すれば良い。
【０１１８】
記録媒体が既に簡易ファイナライズ処理されている場合について、図１６と、図１７を用いて説明する。
【０１１９】
ユーザがファイナライズ処理を行おうとした場合、図１６の画面１０００上にプルダウンメニュー１６１０を表示する。そのプルダウンメニュー１６１０からファイナライズの項目(追加ファイナライズ、または完全ファイナライズ)を選択する。すると図１６の表示エリア１１００に処理の項目「ファイナライズ処理」が表示され、ファイナライズ処理に移行したことがわかり、また同時にファイナライズ処理の確認画面が表示される。
【０１２０】
プルダウンメニュー１６１０から追加ファイナライズが選択された場合(この場合、図１５のフローチャートが実施されるものとする。)は、図１７の確認画面１７０１が表示される。確認画面１７０１の“追加ファイナライズを行ないますか”というメッセージは例えば、“本当にしてもよいですか？”等ユーザに確認を促がすものであれば上記のメッセージに限った事ではない。
【０１２１】
一方、図１６のプルダウンメニュー１６１０から完全ファイナライズが選択された場合(この場合、図９のフローチャートが実施されるものとする。)は、図１７の確認画面１７０２が表示される。ユーザに確認を促がすものであれば確認画面１７０２のメッセージに限った事ではない。
【０１２２】
確認画面１７０１を表示するのが、図１５の確認画面表示１５０１である。もしここで追加ファイナライズ処理を止めたければNO(図１７の確認画面１７０１のNO)を選択すれば良いし、追加ファイナライズ処理を行う時はYES(図１７の確認画面１７０１のYES)を選択すれば良い。
【０１２３】
なお、確認画面１７０２を表示するのが、図９の確認画面表示９０１である。もしここで完全ファイナライズ処理を止めたければNO(図１７の確認画面１７０２のNO)を選択すれば良いし、完全ファイナライズ処理を行う時はYES(図１７の確認画面１７０２のYES)を選択すれば良い。
【０１２４】
第一の実施例のように、記録媒体が既に簡易ファイナライズ処理されていることを判別できる場合は、簡易ファイナライズ処理が不要な旨を知らせる手段があっても良い。また、ファイナライズ処理が全く実施されていないことを判別した場合には、完全ファイナライズ処理の処理時間よりも、簡易ファイナライズ処理を選択した方が、処理時間が短縮できる旨(例えば、「簡易ファイナライズ処理は、短時間で、処理が完了します」等)を知らせる手段があっても良い。
【０１２５】
上記説明したようにファイナライズ処理の際、ユーザに処理内容を知らせることにより第一の実施例と同様に操作性が向上する。
【０１２６】
次に本発明の第三の実施例として、ファイナライズ処理の手順の実施例について説明する。図１２はファイナライズ処理のフローチャートを示す。ファイナライズ処理が開始(１２００)されると、先ず、当該記録媒体が完全ファイナライズ処理されているか判別する(１２０１)。
【０１２７】
もし完全ファイナライズ処理が実施されていなければ(１２０１−NO)、簡易ファイナライズ処理が実施されているか判別する(１２０２)。もし簡易ファイナライズ処理が実施されていなければ(１２０２−NO)、簡易ファイナライズ処理を実施する(１２０３)。
【０１２８】
次に、本処理が簡易ファイナライズ処理として呼ばれたか否か判別し(１２０４)、簡易ファイナライズ処理として呼ばれた場合(１２０４−YES)は、処理を終了する（１２０７）。
【０１２９】
一方、処理要求が簡易ファイナライズ処理ではなくて、完全ファイナライズ処理として呼ばれたと判別された場合は(１２０４−NO)、続いて追加ファイナライズ処理を行い(１２０５)、処理を終了する（１２０７）。
【０１３０】
また、簡易ファイナライズ処理が完了していると判別された場合は(１２０２−YES)、本処理が完全ファイナライズ処理として呼ばれたか判別して(１２０６)、完全ファイナライズ処理として呼ばれていた場合は(１２０６−YES)、追加ファイナライズ処理を行い(１２０５)、処理を終了する（１２０７）。
【０１３１】
もし、簡易ファイナライズ処理として呼ばれていた場合は(１２０６−NO)、処理を終了する（１２０７）。
【０１３２】
なお、既に完全ファイナライズ処理が完了していると判別された場合は(１２０１−YES)、そのまま処理を終了する（１２０７）。
【０１３３】
上記実施例の処理によって、既に簡易ファイナライズ処理が実施された記録媒体に対する完全ファイナライズ処理では、追加ファイナライズ処理(例えば、リードアウト書込み)のみ行うことで処理を終了することができる。
【０１３４】
次に第一から第三までの実施例にて説明したシステム構成を組込んだ情報記録再生装置としての、ビデオカメラとDVDレコーダについての実施例について説明する。
【０１３５】
先ず、第四の実施例としてDVD-RAMとDVD-Rの両光ディスクを記録することができるビデオカメラについて図１３を用いて説明する。
【０１３６】
１３００はレンズである。１３０１はレンズ１３００を通して得られた光信号を電気信号に変換するCCDである。１３０２はCCD１３０１によって変換されたアナログの電気信号をデジタルの信号に変換するA/D変換器、１３０３は、A/D変換器１３０２で変換されたデジタル信号をMPEGの圧縮が行えるようなフォーマットに変換したり、再生時にはNTSC等へのフォーマット変換を行う信号処理部、１３０４は、信号処理部１３０３で変換された映像信号をMPEGの圧縮を行う映像圧縮伸張部である。また再生時には圧縮された信号を伸張して信号処理部１３０３に送る。また、１３０６はマイクであり、１３０７はマイク１３０６からの音声信号を増幅するAMP部、１３０８は、AMP部１３０７で増幅された音声信号をデジタル信号に変換するA/D及びD/A変換器、１３１５は液晶モニタ等のLCDパネル、１３１６はスピーカである。
【０１３７】
また、１３０５の制御部、１３１１のドライバ部、１３１２の記録媒体、１３１３の電源部、１３１４の終了処理部は第一から第三までの実施例と同様な処理を行う。１３０４と１３０９についても図１の実施例と同様な処理を行うが、再生時には伸張も行う。１３１０に関しても図１の実施例と同様な多重処理を行うが、再生時にはパケット化された圧縮信号を分離することもある。
【０１３８】
レンズ１３００から入力された映像信号は、CCD１３０１を通してA/D変換器１３０２に入力され、ここでデジタル信号に変換される。変換されたデジタル信号は信号処理部１３０３によって、MPEG記録ができるようなフォーマットに変換され映像圧縮伸張部１３０４でMPEG圧縮される。この映像圧縮伸張部１３０４が図１の映像圧縮部１０２に相当する。再生時には圧縮データの伸張も行う。また、マイク１３０６から入力された音声信号はAMP１３０７で増幅された後、A/D及びD/A変換器１３０８でデジタル信号に変換される。変換されたデジタルの信号は音声圧縮伸張部１３０９でMPEGもしくはドルビーデジタル等の圧縮が行われる。この音声圧縮伸張部１３０９が図１の音声圧縮部１０４に相当する。再生時には圧縮データの伸張も行う。映像圧縮伸張部１３０４と音声圧縮伸張部１３０９以降の処理は図１の実施例で説明したとおりである。
【０１３９】
次に再生時の処理について図１３を用いて説明する。
【０１４０】
ユーザが再生の指示を行うと、ドライバ部１３１１は記録媒体がDVD-RAMかDVD-Rを判断して、それら媒体に応じたデータ読出しを行い、バッファ等を介して多重／分離部１３１０にデータを送る。送られたデータはパケット化されているので分離され、映像のエレメンタリストリームは映像圧縮部伸張部１３０４へ、また音声エレメンタリストリームは音声圧縮伸張部１３０９に送られる。伸張された映像信号は信号処理部１３０３でNTSC等のフォーマットに変換してからLCDパネル１３１５に表示される。
【０１４１】
音声は音声圧縮伸張部１３０９で伸張された後、A/D及びD/A変換器１３０８でアナログの音声信号に変換され、AMP１３０７部で増幅される。増幅された音声信号がスピーカ１３１６を通して出力される。この時の映像と音声の同期は多重／分離部１３１０で行うこととする。
【０１４２】
上記説明したように、DVD-RAMとDVD-Rの両光ディスクに記録可能なビデオカメラで、DVD-R記録時に簡易ファイナライズ処理を行う事によりファイナライズ処理時間を短縮でき、また確認メッセージを表示することによって、処理内容を知ることが出来たり、誤った処理の実施を防ぐことが出来るので、操作性、安全性も向上する。
【０１４３】
なお、確認メッセージは、上記にて説明したものに加えて、ビデオカメラ(カメラ一体型情報記録装置等)、携帯型の情報記録装置であることを踏まえて、例えば、完全ファイナライズ処理の処理時間よりも、簡易ファイナライズ処理を選択した方が、処理時間が短縮できる旨(例えば、「ファイナライズ処理中は、記録媒体の交換が出来ません。簡易ファイナライズ処理よりも完全ファイナライズ処理の方が処理に時間がかかります。本当に完全ファイナライズ処理しますか？」や、「記録媒体の交換を速くする為に、カメラ撮りの場合は、処理時間の短い簡易ファイナライズ処理を薦めます。簡易ファイナライズ処理しますか？」や、「ファイナライズ処理中に携帯用の電池残量が無くなると記録媒体を破壊する場合があります。電池にて電力を供給中は、処理時間の短い簡易ファイナライズ処理を薦めます。簡易ファイナライズ処理しますか？」等)を知らせるメッセージがあっても良い。
【０１４４】
上記説明したようにファイナライズ処理の際、ユーザに処理内容を知らせることにより第一の実施例と同様に操作性が向上する。
【０１４５】
次に第五の実施例としてDVD-RAMとDVD-Rの両光ディスクを記録することができるビデオレコーダについて図１４を用いて説明する。ここでいうレコーダは、持ち運び可能なポータブルタイプ、携帯型のものに必ずしも限定せず、据え置きのデッキ、記録再生装置も含むものとする。
【０１４６】
１４０１はライン入力等の映像入力端子、１４０２は、映像入力端子１４０１からのアナログの電気信号をデジタルの信号に変換するA/D変換器、１４０３は、A/D変換器１４０２で変換されたデジタル信号をMPEGの圧縮が行えるようなフォーマットに変換したり、再生時にはNTSC等へのフォーマット変換を行う信号処理部、１４０４は、信号処理部１４０３で変換された映像信号をMPEGの圧縮を行う映像圧縮伸張部である。
【０１４７】
また映像圧縮伸張部１４０４は、再生時には圧縮された信号を伸張して信号処理部１４０３に送る。また、１４０６は音声入力の為の音声入力端子であり、１４０７は音声入力端子１４０６からの音声信号を増幅するAMP部、１４０８は、AMP部１４０７で増幅された音声信号をデジタル信号に変換するA/D及びD/A変換器、１４１５は液晶モニタ等のLCDパネルであり、１４１６はスピーカである。また、１４０５の制御部、１４１１のドライバ部、１４１２の記録媒体、１４１３の電源部、１４１４の終了処理部は実施例一から三と同様な処理を行う。１４０４と１４０９についても図１の実施例と同様な処理を行うが、再生時には伸張も行う。１４１０に関しても図１の実施例と同様な多重処理を行うが、再生時にはパケット化された圧縮信号を分離することもある。
【０１４８】
映像入力端子１４００から入力された映像信号は、A/D変換器１４０２に入力されここでデジタル信号に変換される。変換されたデジタル信号は信号処理部１４０３によってMPEG記録ができるようなフォーマットに変換され映像圧縮伸張部１４０４でMPEG圧縮される。この映像圧縮伸張部１４０４が図１の映像圧縮部１０２に相当する。再生時には圧縮データの伸張も行う。また、音声入力端子１４０６から入力された音声信号はAMP１４０７で増幅された後、A/D及びD/A変換器１４０８でデジタル信号に変換される。変換されたデジタルの信号は音声圧縮伸張部１４０９でMPEGもしくはドルビーデジタル等の圧縮が行われる。この音声圧縮伸張部１４０９が図１の音声圧縮部１０４に相当する。再生時には圧縮データの伸張も行う。映像圧縮伸張部１４０４と音声圧縮伸張部１４０９以降の処理は図１の実施例で説明したとおりである。
【０１４９】
次に再生時の処理について図１４を用いて説明する。
【０１５０】
ユーザが再生の指示を行うと、ドライバ部１４１１は記録媒体がDVD-RAMかDVD-Rを判断して、それら媒体に応じたデータ読出しを行い、バッファ等を介して多重／分離部１４１０にデータを送る。送られたデータはパケット化されているので分離され、映像のエレメンタリストリームは映像圧縮部伸張部１４０４へ、また音声エレメンタリストリームは音声圧縮伸張部１４０９に送られる。映像圧縮部伸張部１４０４で伸張された映像信号は信号処理部１４０３でNTSC等のフォーマットに変換してからLCDパネル１４１５に表示される。
【０１５１】
音声は音声圧縮伸張部１４０９で伸張された後、A/D及びD/A変換器１４０８でアナログの音声信号に変換され、AMP１４０７部で増幅される。増幅された音声信号がスピーカ１４１６を通して出力される。この時の映像と音声の同期は多重／分離部１４１０で行うこととする。
【０１５２】
上記説明したように、DVD-RAMとDVD-Rとの両光ディスクに記録可能なビデオレコーダで、DVD-R記録時に簡易ファイナライズ処理を行う事によりファイナライズ処理時間を短縮でき、また確認メッセージを表示することによって、処理内容を知ることが出来たり、誤った処理の実施を防ぐことが出来るので、操作性、安全性も向上する。
【０１５３】
なお、確認メッセージは、上記にて説明したものに加えて、携帯型の情報記録装置、据置き型の情報記録装置であることを踏まえて、例えば、完全ファイナライズ処理の処理時間よりも、簡易ファイナライズ処理を選択した方が、処理時間が短縮できる旨(例えば、「ファイナライズ処理中は、記録媒体の交換が出来ません。簡易ファイナライズ処理よりも完全ファイナライズ処理の方が処理に時間がかかります。本当に完全ファイナライズ処理しますか？」や、「ファイナライズ処理中に携帯用の電池残量が無くなると記録媒体を破壊する場合があります。電池にて電力を供給中は、処理時間の短い簡易ファイナライズ処理を薦めます。簡易ファイナライズ処理しますか？」等)を知らせるメッセージがあっても良い。
【０１５４】
上記説明したようにファイナライズ処理の際、ユーザに処理内容を知らせることにより第一の実施例と同様に操作性が向上する。
【０１５５】
なお、上記実施例は、DVD-Rに対しての終了処理を例に説明をしたが、記録後にファイナライズ処理が必要となる記録媒体に本実施例は、適用可能であり、例えば、DVD-RW等に対して実施するものであっても良い。
【０１５６】
また、上記実施例にて、記録媒体として、DVD-RAM及びDVD-Rを例に説明をしているが、DVD-RAM及びDVD-Rに限定されるものではなく、その他の書替え可能型の記録媒体、追記型の記録媒体に適用するものであっても良い。
【０１５７】
また、本発明は、上記実施例でも説明したが、ビデオカメラから信号を記録する情報記録装置(カメラ一体型情報記録装置)、携帯型の情報記録装置、据置き型の情報記録装置においても、実施可能である。
【０１５８】
ここで、本発明に基づく実施例による別の効果を説明する。
【０１５９】
追記型の記録媒体に記録後、終了処理を行うと、終了処理の間は、記録媒体を取出せないので、記録をすることが出来ず、待たされることとなる。
【０１６０】
採用する記録に関する規格によっては、終了処理において記録されていない領域に対して、データを書込むことが行われる。よって、情報の記録時間が短い程、記録されていない領域が大きくなり、その領域への終了処理時のデータ書込み量が大きくなり、時間がかかり、待たされることとなる。従って、終了処理に時間がかかれば、かかる程、新たな記録媒体に交換して、記録を開始するまで待たされる時間が長くなる。
【０１６１】
また、カメラ等の携帯型の情報記録装置では、通常電池によって、電力供給されており、上記のように終了処理に長時間かかると、その処理途中で電池からの電力供給不足で終了処理を中断しなければならない可能性も高くなり、再生装置で再生できない状態の記録媒体を作成してしまう事態になる場合もある。
【０１６２】
しかし、上記実施例によって終了処理にかかる時間を短縮できれば、その処理途中で電力不足で終了処理を中断しなければならない可能性も低くなり、再生装置で再生できない状態の記録媒体を作成してしまう事態を回避することができる。
【０１６３】
または、カメラ等の携帯型の情報記録装置に供給されている電源を判別して、ＡＣ電源から供給されていない場合(例えば、電池等)は、通常はファイナライズ処理を上記簡易ファイナライズ処理するものとしても良い。勿論、この場合に上記ファイナライズ処理を実施する前に、メッセージ画面を表示して、簡易ファイナライズ処理を実施する旨を通知しても良い。若しくは、上記メッセージ画面に簡易ファイナライズ処理と完全ファイナライズ処理とを選択出来るような選択ボタン等を設けても良い。
【０１６４】
【発明の効果】
本発明によれば、簡易ファイナライズ処理を行うことができるので、終了処理を実施することによる待ち時間を小さくすることが可能となる。従って、例えば、終了処理を完了させた記録媒体を取出して、別の記録媒体に交換して、記録、撮影の開始を速やかに実施出来るようになる。このため使い勝手が向上する。
【０１６５】
また、簡易ファイナライズ処理済みの記録媒体に対して、追加ファイナライズ処理も追って処理可能とすることで、当該記録媒体に対応した再生装置での再生が可能となる。
【図面の簡単な説明】
【図１】本発明の第一実施例示すシステム図である。
【図２】  DVD-Rのファイナライズ処理前後の記録状態を示す図である。
【図３】  DVD-Rの簡易ファイナライズ処理前後の記録状態を示す図である。
【図４】本発明の第一実施例のファイナライズ処理制御に関するフローチャートである。
【図５】簡易ファイナライズ処理と完全ファイナライズ処理の処理内容の差を示した図である。
【図６】本発明の第一実施例の表示画面を説明する図である。
【図７】本発明の第一実施例の表示画面を説明する図である。
【図８】本発明の第二実施例の簡易ファイナライズ処理制御に関するフローチャートである。
【図９】本発明の第二実施例の完全ファイナライズ処理制御に関するフローチャートである。
【図１０】本発明の第二実施例の表示画面を説明する図である。
【図１１】本発明の第二実施例の表示画面を説明する図である。
【図１２】本発明の第三実施例のファイナライズ処理に関するフローチャートである。
【図１３】本発明の第四実施例のDVD-RAMとDVD-Rとに記録可能なビデオカメラを説明する図である。
【図１４】本発明の第五実施例のDVD-RAMとDVD-Rとに記録可能なビデオレコーダを説明する図である。
【図１５】本発明の第二実施例の追加ファイナライズ処理制御に関するフローチャートである。
【図１６】本発明の第二実施例の表示画面を説明する図である。
【図１７】本発明の第二実施例の表示画面を説明する図である。
【符号の説明】
１００・・・制御部
１０１・・・映像入力端子
１０２・・・映像圧縮部
１０３・・・音声入力端子
１０４・・・音声圧縮部
１０５・・・多重部
１０６・・・ドライバ部
１０７・・・記録媒体
１０８・・・終了処理部
１０９・・・電源部
１１０・・・簡易ファイナライズ処理部
１１１・・・追加ファイナライズ処理部
１１２・・・終了処理状態判別部
【図１】
0003797191.tif 000002
【図２】
0003797191.tif 000003
【図３】
0003797191.tif 000004
【図４】
0003797191.tif 000005
【図５】
0003797191.tif 000006
【図６】
0003797191.tif 000007
【図７】
0003797191.tif 000008
【図８】
0003797191.tif 000009
【図９】
0003797191.tif 000010
【図１０】
0003797191.tif 000011
【図１１】
0003797191.tif 000012
【図１２】
0003797191.tif 000013
【図１３】
0003797191.tif 000014
【図１４】
0003797191.tif 000015
【図１５】
0003797191.tif 000016
【図１６】
0003797191.tif 000017
【図１７】
0003797191.tif 000018